(57)【要約】【課題】伝達する光強度が変動することを抑制して安定した光接続を実現するファイバスタブ等を提供することを目的とする。【解決手段】光ファイバとフェルールとを備え、一端が空間光結合であり、他端が他の光ファイバに当接して光接続するファイバスタブにおいて、一端において、光ファイバのコアを除く部位に遮光部を備えるファイバスタブとする。また、好ましくは遮光部が一端のクラッド端面に設けられたファイバスタブとする。【選択図】図１
2010211103.tif 000002
【特許請求の範囲】
【請求項１】
光ファイバとフェルールとを備え、一端が空間光結合となり、他端が他の光ファイバに当接して光接続するファイバスタブにおいて、
前記空間光結合となる一端において、前記光ファイバのコアを除く部位に遮光部を備える
ことを特徴とするファイバスタブ。
【請求項２】
請求項１に記載のファイバスタブにおいて、
前記遮光部は前記光ファイバの前記一端のクラッド端面に設けられた
ことを特徴とするファイバスタブ。
【請求項３】
請求項１または請求項２に記載のファイバスタブにおいて、
前記遮光部は、感光材料または感熱材料からなる遮光膜である
ことを特徴とするファイバスタブ。
【請求項４】
請求項１乃至請求項３のいずれか一項に記載のファイバスタブにおいて、
前記遮光部は、前記空間光結合となる一端と前記他の光ファイバに当接する他端との間で、前記光ファイバのクラッドを介した光が伝達されないように、前記光ファイバの前記一端に設けられた
ことを特徴とするファイバスタブ。
【請求項５】
請求項１乃至請求項４のいずれか一項に記載のファイバスタブを備える光レセプタクルモジュール。
【請求項６】
光ファイバとフェルールとを備え、一端が空間光結合となり、他端が他の光ファイバに当接して光接続するファイバスタブにおいて、
前記他の光ファイバに当接する他端において、前記光ファイバのコアを除く部位に遮光部を備える
ことを特徴とするファイバスタブ。
【発明の詳細な説明】
【技術分野】
【０００１】
本発明は、ファイバスタブとそれを備える光レセプタクルモジュールとに関する。
【背景技術】
【０００２】
各種情報伝送機器や医療現場で使用される胃カメラや内視鏡等の各種モニタ装置やレーザ加工機等のレーザ照射装置等は、複数の光ファイバを接続して光伝送するものが知られている。
【０００３】
光ファイバを用いて光を伝送する光伝送装置は、接続する光ファイバ同士を互いに相対回転可能なように光接続する光ファイバ接続ユニットを具備する。光ファイバ接続ユニットは例えば光コネクタと光アダプタ等を備え、二つの光ファイバを容易かつより確実に接続できる技術が投入されている。光ファイバに取り付けられるコネクタには、たとえばＦＣコネクタ、ＳＣコネクタ、ＭＵコネクタ、ＬＣコネクタ等複数の種類が知られている。
【０００４】
一方、光ファイバにおいて、主として光を伝達するコアは、望ましくは円筒状の光ファイバの中心軸に沿って形成される。また、ファイバスタブにおいて、光ファイバ自体は、望ましくはフェルールの中心軸に沿って配置される。これにより、二つの光ファイバを光接続する場合に、相互の光ファイバの中心軸同士が合致して双方の光ファイバのコア同士が合致し、効率的かつ安定して光接続することが可能となる。
【０００５】
例えば、下記特許文献１には、光コネクタ等に荷重が加えられた場合でも、光コネクタ等の接続部分の変形を抑制して、光接続部分の損失変動や接続不安定を低減する技術が開示されている。
【０００６】
この開示文献によれば、プラグフェルールが挿入される部位におけるスリーブの外周面とスリーブケースの内周面との間の一部分に、スリーブとスリーブケースとを接着する接着部材を介在させる。接着部材の介在により、プラグフェルールが横荷重を受けた場合でも、スリーブがスリーブケースに対して強固に固定されることとなる。このため、スリーブの不要な変形を小さくすることができる。
【０００７】
スリーブの変形が低減されれば、プラグフェルールとファイバスタブとの当接状態に変動を生じず、光接続を安定化することができる。従って、プラグフェルールが具備する光ファイバと、ファイバスタブが具備する光ファイバとの当接位置で生じる位置ずれを低減でき、光の損失変動を小さくできることが記載されている。
【０００８】
一方、製造ばらつき等に起因して、現実の光ファイバのコアは光ファイバの中心軸からの偏心（ずれ）が存在する場合があり、またクラッドの中心軸や光ファイバの中心軸と、ファイバスタブの中心軸とにずれが存在するファイバスタブを備えるレセプタクル型光モジュールもある。
【先行技術文献】
【特許文献】
【０００９】
【特許文献１】特開２００８−８３４３８号公報
【発明の概要】
【発明が解決しようとする課題】
【００１０】
上述したファイバスタブによる光接続においては、空間光結合となる光ファイバの一端からクラッドに入射された光が、他端において当接して光接続される他の光ファイバのコアに入射されることが懸念される。
【００１１】
例えば、ファイバスタブを備えるレセプタクル型光モジュールにおいては、ファイバスタブの光ファイバの長さが短いことから、光がクラッドを比較的伝達され易い傾向にある。ファイバスタブの空間光結合となる一端のクラッドに入射された光が、当接して光接続する他端において出射されて他の光ファイバのコアに入射されると、伝達する光強度が変動することが懸念され、安定した光接続の実現を阻害することとなる。
【００１２】
本発明は、上述の問題点に鑑み為されたものであり、伝達する光強度が変動することを抑制して安定した光接続を実現するファイバスタブ等を提供することを目的とする。
【課題を解決するための手段】
【００１３】
この発明にかかるファイバスタブは、光ファイバとフェルールとを備え、一端が空間光結合であり、他端が他の光ファイバに当接して光接続するファイバスタブにおいて、一端において、光ファイバのコアを除く部位に遮光部を備えることを特徴とする。
【００１４】
また、この発明にかかるファイバスタブは、好ましくは遮光部が一端のクラッド端面に設けられてもよい。
【００１５】
また、この発明にかかるファイバスタブは、さらに好ましくは遮光部が、感光材料または感熱材料からなる遮光膜であってもよい。
【００１６】
また、この発明にかかるファイバスタブは、さらに好ましくは遮光部が、空間光結合となる一端と他の光ファイバに当接する他端との間で、光ファイバのクラッドを介した光が伝達されないように、光ファイバの一端に設けられてもよい。
【００１７】
また、この発明にかかる光レセプタクルモジュールは、上述のいずれかのファイバスタブを備えてもよい。
【００１８】
また、この発明にかかる他のファイバスタブは、光ファイバとフェルールとを備え、一端が空間光結合となり、他端が他の光ファイバに当接して光接続するファイバスタブにおいて、他の光ファイバに当接する他端において、光ファイバのコアを除く部位に遮光部を備えることを特徴とする。
【発明の効果】
【００１９】
伝達する光強度が変動することを抑制して安定した光接続を実現するファイバスタブ等を提供できる。
【図面の簡単な説明】
【００２０】
【図１】第一の実施形態にかかる光レセプタクルの一例を示す断面概念図である。
【図２】光コネクタを接続するように構成したレセプタクル型の光モジュールを説明する概念図である。
【図３】光フィルタが内蔵された光送受信モジュールの断面図である。
【図４】ウイグル特性を説明する概念説明図である。
【図５】光ファイバ接合部分のずれを説明する概念図である。
【図６】光結合部分における結合状態を説明する概念図である。
【図７】クラッドの光がコアに入射され再結合する状態を説明する模式図である。
【図８】偏心のバリエーションについて説明する図である。
【図９】遮光部の作製方法のバリエーションを説明する図である。
【発明を実施するための形態】
【００２１】
本実施形態で説明するファイバスタブは、二つの端面の少なくとも一つにクラッドへの光入射またはクラッドからの光出射を遮断する遮光部を備える。また、本実施形態で説明するファイバスタブは、好ましくは空間光結合する端面にクラッドへの光入射またはクラッドからの光出射を遮断する遮光部を備える。
【００２２】
本実施形態で説明するファイバスタブの遮光部は、例えば薄い接着剤を硬化させた膜状に形成してもよい。また、遮光部は、光ファイバの空間光結合する端面のコアを除く部位に成膜され、典型的にはクラッド端面に成膜される薄膜としてもよい。
【００２３】
これにより、本実施形態で説明するファイバスタブは、光がクラッドに入射されることを抑止し、また当接側端面のクラッドから光が出射されることを抑止する。従って、本実施形態で説明するファイバスタブは、当接側端面においてクラッドから光が出射されて接続先の光ファイバのコア等に再結合入射されることがなく、結合効率の変動や光接続の不安定を回避し、安定した光接合を実現することができる。
【００２４】
（第一の実施形態）
図１は、第一の実施形態の光レセプタクル１１の一例を示す断面概念図である。光レセプタクル１１は、ファイバスタブ１２とスリーブ１５とスリーブケース１８とを備える。また、ファイバスタブ１２とスリーブ１５とスリーブケース１８とは、光デバイス筐体１９に固定される。
【００２５】
ファイバスタブ１２は、フェルール１３と、フェルール１３の中心軸位置に配設された光ファイバ１４とを備える。また、ファイバスタブ１２は、スリーブ１５の内部に挿入配置される。スリーブケース１８は、スリーブ１５を保護するために設けられる筐体である。
【００２６】
コネクタ１１０に設けられたプラグフェルール１１１がスリーブ１５内に深く挿入されると、ファイバスタブ１２の当接面１２ａとプラグフェルール１１１の当接面１１１ａとが当接する。ファイバスタブ１２の当接面１２ａとプラグフェルール１１１の当接面１１１ａとが当接すると、光レセプタクル１１は、光ファイバ１４と光ファイバ１１２とを光学的に光接続することができる。
【００２７】
ファイバスタブ１２の当接面１２ａとプラグフェルール１１１の当接面１１１ａとは、各々の中心軸部分を凸状にした端面形状であってもよい。典型的には、光ファイバ１４と光ファイバ１１２とが、各々当接面１２ａと当接面１１１ａとで当接できるような端面形状であればよい。また、光レセプタクル１１のファイバスタブ１２は、発光素子または受光素子と空間光結合する端面１１４に、遮光部１１３ａと遮光部１１３ｂと（以下、適宜遮光部１１３と総称する）を備える。
【００２８】
光レセプタクル１１で光導波路を結合する場合、全ての光を伝達できる訳ではなく、光結合による損失（挿入損失または結合損失とも称する）が生じることが知られている。結合損失は、光ファイバ１４と光ファイバ１１２との中心軸ずれ、すなわち光軸のずれ、による結合部位（当接部位）からの放射に主に起因すると考えられる。
【００２９】
例えば、光通信における空間光結合時の光結合損失は８５％〜７０％であるともいわれており、この場合には８５％〜７０％程度の光が光ファイバ１４のコアに入力されない状態となる。空間光結合においては、レンズ等による集光フォーカス面積と、現実のコア面積とが完全には一致しないことも、結合効率が低い一因であるとされる。
【００３０】
放射などによる光接続損失が増大すれば、光を伝達される受信側において受信レベルの低下や光強度不安定等を招来する。これを防止するため、光レセプタクル１１は、スリーブ１５を、典型的にはスリットが形成された割スリーブとして光結合することが好ましい。
【００３１】
スリーブ１５を割スリーブとすれば、コネクタ１１０のプラグフェルール１１１がスリーブ１５に挿入された場合にスリーブ１５が弾性変形する。弾性変形したスリーブ１５は、光接続するフェルール１３とプラグフェルール１１１との外形が一致するように、フェルール１３とプラグフェルール１１１とを整列させて、フェルール１３とプラグフェルール１１１との光軸を合わせる。フェルール１３の中心軸とプラグフェルール１１１の中心軸とが１００μｍオーダで異なって挿入された場合でも、スリーブ５は、上述のように、弾性変形による整列効果を発揮して、光接続する光ファイバ同士の光軸をほぼ一致させることができる。
【００３２】
一方、光レセプタクル１１は、コネクタ１１０に印加される外力により、光損失が大きく変動する。このため大容量の幹線系通信装置の設置においては、外力が光レセプタクル１１に印加されないような養生処理や光ファイバのフォーミング等をしてもよい。
【００３３】
また、養生処理や光ファイバのフォーミング等が十分でなく、不注意でファイバに手や足を引っ掛ける等、光ファイバに瞬間的に大きな力が加えられる畏れもある。このような場合においても安定した光接続を保証するため、光レセプタクル１１に外力が加えられた場合の光損失変動特性であるウイグル特性の向上が求められる。図４は、ウイグル特性を説明する概念説明図である。
【００３４】
図４に示すように、光モジュール４１１に設けられた光コネクタ４７３を地面と水平に保持した状態で、地面と垂直に張った光ファイバ４７４におもり固定構造４１７を介しておもり４１８を装着する。おもり４１８により光ファイバ４７４に荷重をかけた状態のままで、光コネクタ４７３を右回転、左回転と各１回転させたときの回転角度と損失変化の特性がウイグル特性である。図４において４７１は、光損失変動特性取得部である。
【００３５】
光レセプタクル１１に対する外力の影響有無は光レセプタクル１１の構造にも依存するが、光レセプタクル１１の嵌合部の構造が光軸に対して回転対称ではない場合には、外力に対する特性変動や耐久性に角度依存性が生じる。
【００３６】
また、典型的には、光ファイバ１１２または光ファイバ１４の少なくともいずれか一方に、コアの偏心がある場合には、回転角度による特性変動が生じる。さらに、スリーブ１５が外力の影響で弾性変形を起こす場合には、左右回転方向が異なれば、各々異なった特性を示す場合がある。
【００３７】
このためウイグル特性においては、右回転・左回転時の角度特性を共に検討することが必要となる。特定方向においてウイグル特性が悪い場合には、その方向に何らかの外力が加わった場合に挿入損失の悪化が増大することとなる。挿入損失が極度に悪化すれば、光を伝達される受信側対向局において、光の受信レベルが大きく変動することになる。光の受信レベルが大きく変動すれば、通信エラーの原因となることが知られている。
【００３８】
ウイグル特性は、光軸の当接接合部における、外力等により生じる光軸のずれ量に主として依存する。コネクタ１１０のプラグフェルール１１１とファイバスタブ１２とを光結合する場合に、スリーブ１５はその弾性変形により保持力を発揮する。但し、プラグフェルール１１１とファイバスタブ１２との結合を保持しようとするスリーブ１５の保持力にも限界がある。
【００３９】
このため多大な荷重が加えられた場合にスリーブ１５は外力に耐えきれず、外力が加えられる方向に、ファイバスタブ１２とプラグフェルール１１１とがずれる場合が生じる。また、図５に示すように、端面間の角度θが拡大する懸念が生じる。図５は、光ファイバ接合部分のずれを説明する概念図である。図５においては、図１、図４と対応する部位には対応する符号を付して、説明の重複を避けるためにここではその説明を省略する。
【００４０】
図５に示すようにスリーブ１５は、外力により弾性変形を生じる。仮に、ウイグル特性目標値を１．６ｄＢとすれば、光ファイバの伝搬モードをガウシアン近似したモデルでの解析シミュレーションにより、光ファイバ１４と光ファイバ１１２とのずれ量ｄは、３μｍ（θ=０の場合）程度以内にすることが必要との計算結果が開示されている。また、仮にウイグル特性目標値を１．６ｄＢとすれば、上述の解析シミュレーションから、当接面１２ａと当接面１１１ａとのなす角度θは、θ＝２．４ｄｅｇ（ｄ=０の場合）以内に保持することが必要との計算結果が開示されている。図５に示すスリーブ１５では、ずれ量ｄや角度θの変移が大きいので、数ｄＢを超えるウイグル特性となるものとも懸念される。
【００４１】
また、光ファイバ１４のコア１４５と光ファイバ１１２のコア１１２５との少なくともいずれか一方に、中心軸からの偏心（位置ずれ）がある場合には、光ファイバ１４と光ファイバ１１２との相対回転によって、光軸がずれることが懸念される。
【００４２】
仮に、光ファイバ１４のクラッド１４８を伝わる光が存在する場合には、光軸がずれると、クラッド１４８を伝わる光が光ファイバ１１２のコア１１２５に入射される場合が生じ得る。これにより、受光側において数ｄＢ程度の受信光レベルの変動が比較的容易に生じることとなる。
【００４３】
ファイバスタブ１２は、空間光結合をする端面１１４において、クラッド１４８への光入射を遮断するように、コア１４５を除く部位であって典型的にはクラッド１４８の端面部に遮光部１１３を備える。このため、クラッド１４８内を他端まで伝達する光がないので、受光側において数ｄＢ程度の光の変動を生じることを抑止できる。
【００４４】
なお、遮光部１１３は、当接面１２ａに設けてもよい。当接面１２ａに遮光部１１３を設ける場合には、仮にクラッド１４８内を光が伝達される場合でもその光がコア１１２５内に入射されないように、当接面１２ａのクラッド１４８端面に遮光部１１３を設けることが好ましい。この場合には、遮光部１１３は、可能な限り薄い膜状に形成し、当接面１２ａでの光接続に好ましからざる影響を与えないものとする。
【００４５】
ここで、光接続の不安定要因について説明する。図６は、光結合部分における結合状態を説明する概念図である。図６（ａ）が、偏心による結合損失発生を説明する図である。また、図６（ｂ）が、ファイバスタブ１２の当接面１２ａからの光出射状態を説明する図である。また、図６（ｃ）が、ファイバスタブ１２の端面１１４への光入射状態を説明する図である。図６においては、図１と対応する部位には対応する符号を付して、説明の重複を避けるためにここではその説明を省略する。
【００４６】
図６（ａ）に示す例では当接面１１１ａにおいて、入射される光７３０と光ファイバ１１２のコア１１２５との間にずれが生じる。このため光ファイバ１１２のクラッドにも光が入射されることとなる。
【００４７】
図６（ｂ）に示す例では当接面１２ａにおいて、出射される光７２０とコア１４５との間にずれが生じる。すなわち、光ファイバ１４のクラッド端面からも光が出射される。クラッド端面からの出射光は、図６（ａ）にも示すように、伝達先の光ファイバ１１２に入射されることとなり、光結合効率や結合損失等を不安定化させる要因となる。
【００４８】
図６（ｃ）に示す例では端面１１４において、入射される光７１０とコア１４５との間にずれが生じる。レンズ７５０で集光された光は、理想的には全てコア１４５にフォーカスされることが好ましい。しかし、コア１４５の直径は大凡９μｍ程度であり、極めて小さいことから現実には一定範囲内のフォーカスずれが許容される。一方、入射される光７１０とコア１４５との間にずれが生じると、クラッド１４８に光が入射されることになる。クラッド１４８は、大凡１ｃｍ程度の長さであるので、クラッド１４８内へ入射された入射光は、外部放出されることなく当接面１２ａまで伝達される。これにより、図６（ａ），図６（ｂ）で上述したような光接続の不安定が生じる一因となる。
【００４９】
換言すれば、端面１１４においてシングルモードに結合できなかった光が、クラッド１４８に入り、外線側の光コネクタに再結合する。これにより、光出力パワーが見かけ上高く検出されるものが生じていた。さらに、ファイバスタブ１２の偏心により光出力に個々ばらつきが生じていた。
【００５０】
また、図７は、クラッド１４８の光がコア１１２５に入射され再結合する状態を説明する模式図である。図７に示すように、仮に外線側の光ファイバ１１２に偏心があった場合には、クラッド１４８の光を拾ってしまうので、光出力パワーが高くなるものが発生する。
【００５１】
また、図８は、偏心のバリエーションについて説明する図である。図８（ａ）が、プラグフェルール１１１と光ファイバ１１２ａとコア７２ａとに偏心がない状態を示す概念図である。図８（ｂ）が、フェルール１１１ｂと光ファイバ１１２ｂとに偏心がないが、コア７２ｂに偏心がある状態を示す概念図である。また、図８（ｃ）が、フェルール１１１ｃに対して光ファイバ１１２ｃとコア７２ｃとに偏心がある状態を示す概念図である。図８（ｃ）において、光ファイバ１１２ｃとコア７２ｃとの間には偏心がない。以上が、光接続の不安定要因について説明である。
【００５２】
（第二の実施形態）
図３は、光フィルタが内蔵された光送受信モジュール３００を説明する断面模式図である。光送受信モジュール３００は、光レセプタクル３１００と、受光素子３１２１とが搭載された受光素子ユニット３２００と、発光素子３１３１が搭載された発光素子ユニット３３００と、光フィルタ３１０３とを備える。光フィルタ３１０３は、光アイソレータ機能付きのフィルタとしてもよく、例えば２枚の偏光子とファラデー回転子とを備えることとしてもよい。
【００５３】
光送受信モジュール３００において、発光素子３１３１から出射された第１の波長光λ１は、第１のレンズ３１３２により集光され、光フィルタ３１０３を通過して光ファイバ３１１１に光結合される。
【００５４】
一方、第２の波長光λ２は、第１の波長光λ１と逆方向から光ファイバ３１１１に入射され、光フィルタ３１０３により発光素子３１３１の光軸とほぼ垂直方向に反射され、ガラス材からなるフェルール３１１３及びカットフィルタ３１４０を通過し、第２のレンズ３１２２により集光されて受光素子３１２１で受光される。なお、ファイバスタブ３１１４は、フェルール３１１３と、フェルール３１１３の貫通孔３１１２に挿通された光ファイバ３１１１とを備える。
【００５５】
このように、光送受信モジュール３００は、発光素子３１３１と受光素子３１２１とを一体的に具備する。従って、光送受信モジュール３００は、１本の光ファイバ３１１１によって第１の波長光λ１を不図示の外部装置に送信し、かつ第２の波長光λ２を不図示の外部装置から受信できる。
【００５６】
光送受信モジュール３００は、発光素子３１３１の光が入射されるファイバスタブ３１１４の端面に、遮光部１１３を備える。遮光部１１３は、好ましくは光ファイバ３１１１のコアを除く端面全体に設けることができ、さらに好ましくは光ファイバ３１１１のクラッドに対応する端面に設けることができる。
【００５７】
光送受信モジュール３００は遮光部１１３を備えることにより、ファイバスタブ３１１４から出射する波長光λ１は全て光ファイバ３１１１のコアから出射することとなる。このため、光送受信モジュール３００は、安定した光接続をすることが可能となり、波長光λ１の伝達先における受信レベルの変動等を低減することが可能となる。
【００５８】
（第三の実施形態）
光信号を電気信号に光電変換するための光学装置は、発光素子（たとえば半導体レーザーダイオード）や受光素子（たとえばフォトダイオード）等の光素子をケース内に収納し、このケースを光ファイバの先端面に対向して設け、光信号を光ファイバの先端面に入射または出射し、光ファイバを通じて光信号を導入又は導出するような構造とする。
【００５９】
光モジュールは、例えば発光素子をケース内に収容し光信号を導出する発光モジュールと、受光素子をケース内に収容し光信号を導入する受光モジュールとがある。光モジュールのうち、光コネクタを接続するように構成したレセプタクル型の光モジュール２００は、図２に示すような構成を備える。
【００６０】
レセプタクル型の光モジュール２００は、光レセプタクル２１０７の一端に光素子２１０９を備え、他端からプラグ２１０２が挿入され、光レセプタクル２１０７を介して、プラグ２１０２および光素子２１０９の光学的な結合を実現する。図２は、光コネクタを接続するように構成したレセプタクル型の光モジュール２００を説明する概念図である。
【００６１】
光レセプタクル２１０７は、ジルコニア、アルミナ等のセラミック材料からなるフェルール２１１０ａを備える。また、光レセプタクル２１０７は、フェルール２１１０ａの内孔２１１０ｂに石英ガラス等からなる光ファイバ２１１０ｃを挿入し、接着剤により接着固定して得られたファイバスタブ２１１０を備える。
【００６２】
ファイバスタブ２１１０の後端部はホルダ２１０４の貫通孔に圧入固定され、ファイバスタブ２１１０の先端部は、スリーブ２１０３の内孔に挿入されるとともにケース２１０５に固定される。また、ホルダ２１０４とケース２１０５とは、圧入もしくは接着により固定され、さらにピン２１０６にて相互の固定が補強される。
【００６３】
また、光レセプタクル２１０７を用いて光モジュール２００を構成する場合は、光レセプタクル２１０７の先端面側よりスリーブ２１０３内にプラグ２１０２を挿入し、光ファイバ２１１０ｃと、光素子２１０９とレンズ２１０８を備えたケース２１００を最も効率よく光信号が導入または導出される位置に偏心調整して溶接固定してもよい。
【００６４】
図２に示すように、光モジュール２００は、プラグ２１０２とファイバスタブ２１１０とがスリーブ２１０３により連結、保持される。光モジュール２００は、プラグ２１０２に対してプラグフェルール２１０２ａの径方向の荷重（以下、横荷重と称する）が加わった場合、プラグ２１０２がファイバスタブ２１１０の軸方向に対して傾く。
【００６５】
すなわち、プラグ２１０２に横荷重が加わると、横荷重がプラグ２１０２からスリーブ２１０３に伝わってスリーブ２１０３の直径が拡張し、プラグ２１０２がファイバスタブ２１１０の軸方向に対して傾く。また、プラグ２１０２がファイバスタブ２１１０の軸方向に対して傾くと、スリーブ２１０３によるプラグ２１０２とファイバスタブ２１１０との調芯が困難となる。
【００６６】
光モジュール２００は、プラグ２１０２の光ファイバ２１０２ｃと、ファイバスタブ２１１０の光ファイバ２１１０ｃと、の光接続位置にズレが発生し、光の接続損失が変動する場合があった。ここで、光接続位置とは典型的には光ファイバ２１０２ｃのコアと、光ファイバ２１１０ｃのコアとの当接部分である。当接部分がずれると、光が効率的に伝達できないだけではなく、クラッドから異なるモードの光が対向するコアに入射される等好ましからざる光変動要因が生じることとなる。なお、光ファイバ２１０２ｃは、プラグフェルール２１０２ａの挿通孔２１０２ｂに配置される。
【００６７】
光モジュール２００は、スリーブ２１０３のファイバスタブ２１１０側にピン２１０６を配置し、スリーブ２１０３の過渡な変形を抑制可能であるが、プラグ２１０２側はピン２１０６で固定されないので、プラグ２１０２側でスリーブ２１０３が横荷重により変形し、ファイバスタブ２１１０に対してプラグ２１０２に位置ずれが生じ、光の接続損失が変動する懸念がある。
【００６８】
このような懸念を低減するため、光モジュール２００は、ファイバスタブ２１１０の端面に、典型的には光ファイバ２１１０ｃのクラッドへの光入射を抑止する遮光部１１３を備える。遮光部１１３は、半導体プロセス等に用いるフォトリソグラフ技術等を用いて薄膜状に成膜形成してもよい。また、光モジュール２００が備える遮光部１１３は、ファイバスタブ２１１０のいずれの端面に設けてもよいが、空間光結合とする図２の紙面上右側の端面に設けることが、耐久性や信頼性の観点から好ましい。
【００６９】
図９は、遮光部１１３の作製方法のバリエーションを説明する図である。以下の説明においては、半導体作製プロセス等で汎用されるフォトリソプロセス等を用いてもよく、他の周知のリソグラフィ方法を適用してもよいので簡単に説明することとする。
【００７０】
図９（ａ）は、ファイバスタブのコア部分に光を入力透過させながら、光に反応する材料にファイバ断面を浸漬させ、クラッド部分に遮光膜を形成する方法を示す図である。クラッド部分に加えてフェルール部分にも遮光膜を形成してもよい。この作製方法においては、光が入力透過されるコアを除く部分に遮光膜が形成される。
【００７１】
図９（ｂ）は、ファイバスタブのクラッド部分に光を透過させながら、光に反応する材料に端面を浸漬させ、クラッド部分のみに遮光膜を形成する方法を説明する図である。この作製方法においては、光入力透過されるクラッド部分のみに遮光膜が形成される。
【００７２】
図９（ｃ）は、ファイバスタブ端面に光に反応する接着剤を塗布し、コアに光を透過させ、クラッド部分に接着剤が接着剤が硬化する遮光膜形成方法を説明する図である。この作製方法においては、光によってクラッド部分にのみ接着剤が硬化する。また、クラッド部分に加えてフェルール部分も接着剤が硬化してもよい。
【００７３】
図９（ｄ）は、ファイバスタブの端面に光に反応する接着剤を塗布し、クラッドに光を透過させ、クラッド部分のみ接着剤が硬化する遮光膜形成方法を説明する図である。
【００７４】
図９（ｅ）は、ファイバスタブ端面に光に反応するシート材料を被せ、光が透過した部分のみシート材料が溶け、コア部分のみ光が透過できる遮光膜形成方法を説明する図である。この作製方法においては、例えばＵＶ光等により光溶融する材料を用いてもよい。
【００７５】
図９（ｆ）は、ファイバスタブ端面に熱に反応する接着剤を塗布し、クラッドに光を透過させ、熱によりクラッド部分のみ接着剤を硬化させる遮光膜形成方法を説明する図である。この作製方法によれば、クラッドに高出力の光を入力するので発熱し、この発熱により接着剤が硬化する。
【００７６】
図９に説明した方法によれば、仮にコア等に偏心があったとしても遮光膜を容易に形成することが可能である。
【００７７】
上述した各実施形態では、ファイバスタブのクラッドに入射される光を遮断し、またはファイバスタブのクラッドから出射される光を遮断し、クラッドから外線側のコアに再結合する光を抑制した光モジュール等を実現できる。これにより、光出力パワーが高くなる等光強度がばらつくことなく、安定した光出力を得ることが可能となる。
【００７８】
上述した各実施形態における説明は本発明を限定するものではなく、実施形態を適宜組み合わせた光モジュール等とすることができる。また、必要とされる機能との関係で、各実施形態で説明した機能や動作処理を適宜取捨選択しまたは他の構成を適宜付加して用いることができる。
【００７９】
本発明は、上述した光レセプタクル１１と光モジュール２００と光送受信モジュール３００等に限定されることななく、光レセプタクル１１と光モジュール２００と光送受信モジュール３００等の構成と機能と動作処理等とを自明な範囲で適宜変更して用いてもよい。
【産業上の利用可能性】
【００８０】
本発明は、光通信機器等の通信光ファイバを接続等する種々の光通信モジュール等に利用できる。
【符号の説明】
【００８１】
３１００・・光レセプタクル、３１０３・・光フィルタ、３１１１・・光ファイバ、３１１２・・貫通孔、３１１３・・フェルール、３１１４・・ファイバスタブ、３１２１・・受光素子、３１２２・・第２のレンズ、３１３１・・発光素子、３１３２・・第１のレンズ、３１４０・・カットフィルタ、３２００・・受光素子ユニット、３３００・・発光素子ユニット。
【図１】
2010211103.tif 000003
【図２】
2010211103.tif 000004
【図３】
2010211103.tif 000005
【図４】
2010211103.tif 000006
【図５】
2010211103.tif 000007
【図６】
2010211103.tif 000008
【図７】
2010211103.tif 000009
【図８】
2010211103.tif 000010
【図９】
2010211103.tif 000011